(57)【特許請求の範囲】
【請求項１】
閉空間を設定可能とした固定刃とワイヤーとをケーブルに巻回させて前記閉空間を設定し、前記ケーブルに沿って前記固定刃と前記ワイヤーを所定位置まで移動させ、前記所定位置において、前記閉空間を設定したままの状態で、前記ケーブルを前記固定刃と刃先を対向させた可動刃との間に介在させ、前記可動刃を前記固定刃とギロチン式に交差移動可能に結合装着した後に、前記可動刃を前記固定刃に対して交差圧接させることにより前記ケーブルを切断することを特徴とするケーブル切断方法。
【請求項２】
固定刃を取り付けた固定刃枠と、前記固定刃に対して刃先を対向させつつギロチン式に交差移動可能に可動刃を取り付けた可動枠とを有し、これら固定刃枠と可動刃枠とを連結分離可能に形成するとともに、前記固定刃枠に少なくとも一方の端部を着脱可能に連結され前記固定刃とともに閉空間を形成して切断対象ケーブルを巻回可能なワイヤーを有することを特徴とするケーブル巻き込み防止機能付ケーブルカッター。
【請求項３】
前記固定刃に着脱自在に設けられるとともに、前記ワイヤーに連結されている固定刃カバーを有することを特徴とする請求項２に記載のケーブル巻き込み防止機能付ケーブルカッター。
【発明の詳細な説明】
【０００１】
【発明の属する技術分野】
本発明は、ケーブル切断方法およびケーブル巻き込み防止機能付ケーブルカッターに係り、ケーブルを切断するための方法およびケーブルカッターに関する。
【０００２】
【従来の技術】
地下空間に設置された通信等のケーブルは、ケーブルを設置できる空間が限られる場合が多く、多数のケーブルが近接した状態で設置されていることが多い。特に、マンホールます内の空間（マンホール蓋の下にある、人間がケーブルの設置場所まで降りるために設けられる縦穴空間）では、人間が昇降したり、作業したりする空間を確保するために、ケーブルがマンホールますの壁面に沿って密集した状態で設置されており、特に、ケーブル同士の接続部が収納されるケーブル接続ますの周囲は、非常にケーブルが密集した状態にある。
【０００３】
ところが、ケーブル接続作業の前提となるケーブル切断作業を行う場合において、ケーブルの切断対象部位は、上述のケーブル接続ますの付近に存在することが多く、切断対象となるケーブルを選別するのは大変困難な作業となってしまう。
【０００４】
そこで、従来よりケーブルの切断作業は、
（１）ケーブルが比較的密集していない場所（例えば、マンホールますとマンホールますから水平方向に延びる管路との境界部分など）において、切断対象となるケーブルを選び出し、
（２）そのケーブルにリング状にひもを巻き付けて、
（３）切断すべき位置、つまりケーブルが密集している場所まで、このひもをそのケーブルに沿って移動させて行き、
（４）切断すべき位置まで移動させたら、他の切断対象でないケーブルを切断対象であるひもの付いたケーブルから引き離し、
（５）ケーブルカッターの下刃を切断対象ケーブルに巻き付けるようにして装着し、
（６）ケーブルカッターの下刃を上刃に装着して、ケーブルを切断する。
ことにより行われていた。
【０００５】
【発明が解決しようとする課題】
ところが、上記の切断方法によると、ケーブル同士が強く密着していることが多いので、切断対象ケーブルの背後に他のケーブルが隠れた状態で密着していることに気付かず、その隠れたケーブルまで巻き込んでケーブルカッターの下刃を装着してしまい、誤って切断してしまう事故が発生していた。
【０００６】
そこで、本発明は、上述の従来技術の欠点を解消するために、ケーブルの切断時において、切断対象ケーブルを簡単な手段で特定でき、他のケーブルを誤って切断することなく、切断対象ケーブルのみを確実に切断できるケーブル切断方法およびケーブル巻き込み防止機能付ケーブルカッターを提供することを目的としている。
【０００７】
また、切断対象ケーブルを特定する作業をする際、ケーブルカッターの刃で手やケーブルなどを傷つけることなく、安全に作業できるケーブル巻き込み防止機能付ケーブルカッターを提供することを目的としている。
【０００８】
【課題を解決するための手段】
上記の目的を達成するために、本発明は、
（１）閉空間を設定可能とした固定刃とワイヤーとをケーブルに巻回させて前記閉空間を設定し、前記ケーブルに沿って前記固定刃と前記ワイヤーを所定位置まで移動させ、前記所定位置において、前記閉空間を設定したままの状態で、前記ケーブルを前記固定刃と刃先を対向させた可動刃との間に介在させ、前記可動刃を前記固定刃とギロチン式に交差移動可能に結合装着した後に、前記可動刃を前記固定刃に対して交差圧接させることにより前記ケーブルを切断することを特徴とするケーブル切断方法としたものである。
【０００９】
（２）また、固定刃を取り付けた固定刃枠と、前記固定刃に対して刃先を対向させつつギロチン式に交差移動可能に可動刃を取り付けた可動枠とを有し、これら固定刃枠と可動刃枠とを連結分離可能に形成するとともに、前記固定刃枠に少なくとも一方の端部を着脱可能に連結され前記固定刃とともに閉空間を形成して切断対象ケーブルを巻回可能なワイヤーを有することを特徴とするケーブル巻き込み防止機能付ケーブルカッターとしたものである。
【００１１】
（３）さらに、（２）のケーブル巻き込み防止機能付ケーブルカッターにおいて、前記固定刃に着脱自在に設けられるとともに、前記ワイヤーに連結されている切断刃カバーを有することを特徴とするケーブル巻き込み防止機能付ケーブルカッターとしたものである。
【００１２】
【作用】
上記構成によれば、切断対象となるケーブルの周囲に固定刃とワイヤーにより閉空間を設定し、この閉空間を設定したままの状態で固定刃に対して可動刃をギロチン式に交差圧接するように移動して、当該ケーブルを切断することができる構成としたので、切断対象ケーブルを簡単に特定することができ、切断対象ケーブル以外のケーブルを誤って切断することを防止できる。
【００１３】
また、前記固定刃に着脱自在に設けられるとともに、前記ワイヤーに連結されている固定刃カバーを有する構成にしたので、切断対象となるケーブルを特定する際、ケーブルカッターの刃で手やケーブルなどを傷つけることなく、安全に作業できる。さらに、固定刃カバー自体の落下が防止できる。
【００１４】
【発明の実施の形態】
以下に本発明に係るケーブル巻き込み防止機能付ケーブルカッターの具体的な実施形態を図面を参照して詳細に説明する。
図１に示したこのケーブル巻き込み防止機能付ケーブルカッター１は、図２に示す可動刃としての上刃２２およびこれに付随する部分が、図３に示す固定刃としての下刃３４およびこれに付随する部分を着脱自在にして設けられている。
【００１５】
図２に示した部分は、作業者が作業時に把持する柄になる略棒状の胴体１１の一端に、２枚の略Ｕ字状の板状体を対向させて間に僅かな間隙を設け、外縁部を閉止して形成された可動刃枠としての上刃枠２１の中央部を接続して形成されている。さらに、上刃２２が、上刃枠２１の２枚の板状体の間隙に介在して摺動自在に設けられており、くわえて、胴体１１には、ボールねじ１２が貫通状態で螺接して設けられており、これを回動させることにより、上刃２２が連動して胴体１１の軸方向に摺動するように構成されている。
【００１６】
さらに、胴体１１の上刃枠２１寄りの部位には、係止バンド１３が巻着して設けられ、また、ボールねじ１２には、係止リング１５が係止して設けられている。さらに、係止バンド１３と係止リンク１５とには、肩掛けバンド１４が係止された状態で設けられている。また、係止バンド１３には、線状体としての上刃カバーバンド２６の一端部が係止されており、さらに、上刃カバーバンド２６の他方の端部には、上刃カバー２４が係止して設けられている。上刃カバー２４は、対向する２枚の略矩形板状体の間に僅かな間隙を設け、３方の辺縁部を閉止して形成されており、上刃２２をこの間隙に挿入して、上刃２２が露出しないように、その全面を被装できるように構成されている。これにより、上刃２２を使用しない場合には、その全面を被装して、上刃２２により人体やケーブルなどに損傷を与えることが防止できる。
【００１７】
また、上述の図２の各構成要素に対して着脱自在に設けられているのものとして、図３に示すように、切断刃の枠部としての下刃枠３１ａと同３１ｂが、断面を略凹形状に形成されるとともに、両者の間に切断刃の刃部としての下刃３４を介在させた状態で設けられている。これらは、上刃枠２１、上刃２２、胴体１１、ボールねじ１１と共に、ケーブルの切断要素としての役割を持つものである。また、下刃枠３１ａ、３１ｂは、それぞれ軸着ピン３６ａ、３６ｂにより下刃３４に軸着されている。
【００１８】
これらを用いた具体的な切断方法は、後述の方法により上刃枠２１に下刃枠３１ａ、３１ｂを装着した状態において、上刃２２と下刃３４とは、刃先が対向するとともに交差圧接するよう設けられており、さらに、上刃２２がボールねじ１２の回転により胴体１１の軸方向に摺動し、上刃枠２１に対して前進または後退するように設けられているので、ボールねじを回転させれば、上刃２２と下刃３４とが圧接状態のまま交差させられるので、ギロチン式にケーブルを切断することが可能となる。
【００１９】
さらに、下刃枠３１ａ、３１ｂには、線状体としてのケーブル巻き込み防止ワイヤー４４が下刃枠３１ａ、３１ｂに繋着されて設けられている。このケーブル巻き込み防止ワイヤー４４は、下刃枠３１ａ、同３１ｂ、下刃３４と共に、１つの環状体をなすように形成されている。また、下刃枠３１ｂには、下刃枠３１ｂを貫通して設けられた安全ピン４１に係止リング４２がその端部を係止されて設けられているが、この係止リング４２には、ケーブル巻き込み防止ワイヤー４４の一端に付設された係止具４３が着脱自在にして設けられている。
【００２０】
したがって、下刃枠３１ｂとケーブル巻き込み防止ワイヤー４４との着脱により、前記の環状体を自在に開閉できるので、ケーブルの周囲に閉空間を設定、あるいは解消することが自在にできる。
よって、これらをケーブルに適宜巻回して閉空間を設定できるので、後述の作業手順により、多数のケーブルが密着した場所において切断対象ケーブルを特定することが可能となる。くわえて、ケーブル巻き込み防止ワイヤー４４の表面は合成樹脂製チューブで被覆されており、ケーブル巻き込み防止ワイヤー４４と切断対象ケーブル５とが当接摺動するような場合に、表面を傷つけないように形成されている。
【００２１】
また、ケーブル巻き込み防止ワイヤー４４は、その中間部分において、下刃枠３１ａに設けられた貫通孔を貫通した状態で設けられている。さらに、上述のように他方の端部には、下刃カバー４５が係止されて設けられている。
さらに、下刃枠３１ａ、同３１ｂには、ロックボタン３２、ロック解除リング３３、安全ピン４１が設けられて、上刃枠２１に下刃枠３１ａ、３１ｂを着脱自在にしている。
【００２２】
さらに、上刃枠２１に下刃枠３１ａ、３１ｂを装着する具体的方法は以下の通りである。
まず、下刃枠３１ｂの溝状凹部を貫通するように設けられた安全ピン４１を上刃枠２１の端縁に設けられた切込である安全ピン挿入スリット２５に挿入することにより、上刃枠２１に下刃枠３１ｂを掛止させる。
【００２３】
次に、安全ピン４１を軸にして下刃枠３１ａを回転させるようにしながら（図７矢印Ｂ）、上刃枠２１のロックピン挿入孔２７のある側を下刃枠３１ａの溝状凹部に嵌挿する。この際、下刃枠３１ａ、３１ｂは、軸着ピン３６ａ、３６ｂにより下刃３４に対して僅かに回動するように軸着されており、ロック解除リング３３および係止リング４２が設けられている側が開くように僅かに回動するので、嵌挿が容易になる。
【００２４】
嵌挿し終わったら、下刃枠３１ａのほぼ中央に突出して設けられたロックボタン３２を押し下げる。ロックボタン３２の下部（内部）には、略棒状のロックピン（図示せず）が軸方向に上下動自在に設けられており、ロックボタン３２の上下動に連動するとともに、上刃枠２１が下刃枠３１ａに嵌挿された状態において、ロックピン挿入孔２７を貫通するように設けられている。よって、ロックボタン３２を押し下げると、ロックピンがロックピン挿入孔２７を貫通した状態になる。ロックボタン３２は、一旦完全に押し下げると、そのままの状態を保持するよう構成されているので、ロックピンがロックピン挿入孔２７を貫通した状態も保持される。この状態において、安全ピン４１も安全ピン挿入スリット２５に挿入状態のままで保持されているので、下刃枠３１ａ、３１ｂは、上刃枠２１に装着された状態になる。
【００２５】
逆に、この装着状態を解消する場合は、ロック解除リング３３を引く。ロックボタン３２は、ロック解除リング３３を引くと、押し下げ前の状態に復帰するように構成されているので、ロックボタン３２が上方に動くのに連動してロックピンがロックピン挿入孔２７から離脱することになる。よって、上刃枠２１から下刃枠３１ａを離脱させることが可能になる。
したがって、下刃枠３１ａ、３１ｂが上刃枠２１に対して着脱自在となる。
【００２６】
また、下刃枠３１ａ、３１ｂには、回転防止板３７ａ、３７ｂが下刃枠３１ａ、３１ｂの略凹形状部の一部を閉塞し、かつ下刃３４の下刃枠３１ａ、３１ｂに挿入される部位に設けられた突出部（図示せず）に前記略凹形状部内において軽く当接するように設けられている。これは、下刃枠３１ａ、３１ｂが軸着ピン３６ａ、３６ｂにより下刃３４に軸着されているだけでは、軸着ピン３６ａ、３６ｂを軸に自在に回動してしまい、特に、下刃枠３１ａ、３１ｂのロック解除リング３３および係止リング４２を設けている側が狭まるように回動すると、上刃枠２１が装着できなくなり、切断作業の障害になる。よって、下刃枠３１ａ、３１ｂのロック解除リング３３および係止リング４２を設けている側が狭まる方向にはわずかしか回動しないように設けられているものである。
【００２７】
また、ケーブル巻き込み防止ワイヤー４４の下刃枠３１ａ側の端部には、下刃カバー４５が、対向する２枚の略矩形板状体の間に僅かな間隙を設けて形成されており、下刃３４をこの間隙に挿入して、下刃３４が露出しないように、その全面を被装することができるように構成されている。また、その一方の面に、図１０に示すように、半円形のスリットが設けられており、このスリットによって半円形に切り出された部分であるつめ部４６が僅かに内側に折曲されており、下刃３４に装着した際に、つめ部４６が下刃の刃先の傾斜部分に強く当接するので、下刃カバー４５が僅かな引張力で離脱しないようになっている。
【００２８】
さらに、下刃カバー４５は、下刃３４に被装した状態において、図１０に示す端部４７ａ、４７ｂがそれぞれ下刃枠３１ａ、３１ｂの溝状凹部側に当接するよう構成されている。これは、下刃枠３１ａ、３１ｂのロック解除リング３３および係止リング４２を設けている側が拡がるように回動すると、上刃枠２１と下刃枠３１ａ、３１ｂの装着が緩んでしまい、切断作業の障害になるので、端部４７ａ、４７ｂにより回動を阻止ためのものである。
【００２９】
くわえて、端部４７ｂは、幅４８よりも幅４９が広くなるように傾斜して設けられており、下刃枠３１ｂは、この傾斜部まで僅かに回動できる。これは、下刃枠３１ａ、３１ｂを上刃枠２１に回転させるようにしながら装着する際、下刃枠３１ｂの係止リング４２を設けている側がわずかに拡がるように回動する余地があると作業が容易になるためである。また、下刃枠３１ｂの溝状凹部内には、押さえばね（図示せず）が設けられており、下刃枠３１ｂが係止リング４２を設けている側が狭まるように付勢している。これは、下刃枠３１ｂの係止リング４２を設けている側を拡がるように回動させた後には、自動的に狭まる方向に回動して装着を確実に行えるようにしたものである。
【００３０】
ところで、この下刃カバー４５は、上刃２１と下刃３４とが交差圧接する際は、上刃２１の摺動に伴って、上刃２１の先端により離脱する方向に押圧されて摺動するが、ケーブル巻き込み防止ワイヤー４４に係着されているので、そのまま落下することはない。
【００３１】
したがって、上刃２１が下刃３４と交差圧接するように摺動すると、下刃カバー４５が、上刃２１の先端により離脱する方向に押圧されて摺動するので、ケーブル巻き込み防止ワイヤー４４も下刃枠３１ａに設けられた貫通孔を通って下刃カバー４５側に移動することになる。当然、下刃枠３１ｂに係止されている側のケーブル巻き込み防止ワイヤー４４は、これに伴って短くなって行く。
【００３２】
上刃２１と下刃３４とが交差圧接する際に、下刃枠３１ｂに係止されている側のケーブル巻き込み防止ワイヤー４４に弛みがあると、誤ってケーブル巻き込み防止ワイヤー４４を切断する危険性が生じるが、このように、上刃２１の摺動に伴ってケーブル巻き込み防止ワイヤー４４が短くなって行く、つまり、不要な弛みが生じない構成にすれば、ケーブルの切断作業時に、ケーブル巻き込み防止ワイヤー４４を誤って切断する危険性がない。
【００３３】
さらに、本発明の実施形態による作業手順を以下に述べる。
第１の手順として、まず、図４に示すように、上刃枠２１と下刃枠３１ａ、３１ｂとを分離させた状態において、係止リング４２から係止具４３を取り外しておく。次に、ケーブルのさほど密集していない、切断対象ケーブルを比較的特定しやすい場所において、切断対象となるケーブル５を探し出し、ケーブル５にケーブル巻き込み防止ワイヤー４４を巻き付けてから、係止具４３を係止リング４２に係止して閉空間を設定する。次に、下刃カバーを握った状態で、ケーブル巻き込み防止ワイヤー４４をケーブル５の切断対象位置までスライドさせて行く。
【００３４】
第２の手順として、図５に示すように、ケーブル５の切断対象位置までスライドさせ終わったら、ケーブル巻き込み防止ワイヤー４４が手前（作業者のいる側）に位置するように、下刃カバー４５および下刃枠３１ａ、３１ｂを回転させる。これにより、切断対象ケーブル５を切断位置において特定する作業が完了する。
なお、この位置においては、ケーブル同士が強く密着しているので、下刃カバー４５および下刃枠３１ａ、３１ｂを回転させると切断対象でないケーブル５１が下刃枠３１ａ、３１ｂの間に食い込んできてしまう。
【００３５】
第３の手順として、図６に示すように、ケーブル巻き込み防止ワイヤー４４を矢印Ａの方向に引いて、下刃枠３１ａ、３１ｂの間に食い込んできた切断対象でないケーブル５１を下刃枠３１ａ、３１ｂの間からはじき出す。同時に、切断対象でない他のケーブルがケーブル巻き込み防止ワイヤー４４により巻き込まれていないか確認する。確認したら、下刃枠３１ａ、３１ｂを上刃枠２１に装着できるように、ロック解除リング３３を矢印Ａの方向に引いて、ロックボタン３２のロックを解除しておく。
【００３６】
第４の手順として、図７に示すように、安全ピン４１を安全ピン挿入スリット２５に挿入して、上刃枠２１に下刃枠３１ｂを掛止させた状態にする。次に、安全ピン４１を軸にして下刃枠３１ａを矢印Ｂに示す方向に回転させるようにしながら、上刃枠２１を下刃枠３１ａの溝状凹部に嵌挿する。嵌挿し終わったら、図８に示すように、ロックボタン３２を押し下げる。これにより、下刃枠３１ａ、３１ｂは上刃枠２１に装着状態でロックされる。
【００３７】
第５の手順として、図８に示すように、ボールねじ１２を回転させ、上刃２２を矢印Ｃの方向に摺動させる。これにより、上刃２２の刃先２３（図２に図示）と下刃３４の刃先３５（図３に図示）とが交差圧接しながら摺動するので、ケーブル５が切断されて行く。なお、この際、上刃２２が下刃３４と交差して摺動するのに伴い、下刃カバー４５が上刃２２の先端に押圧されて、下刃３４上を矢印Ｃ方向に摺動し、一定距離移動した時点で下刃３４から離脱するが、ケーブル巻き込み防止ワイヤー４４の端部が下刃カバー４５に係着されているので、そのまま落下せず、ケーブル巻き込み防止ワイヤー４４に吊下した状態になる。
そして、上刃２２が矢印Ｃ側に最大摺動距離まで摺動すると、刃先２３と刃先３５が完全に交差して、ケーブル５の切断が完了することになる。
【００３８】
切断完了後は、ロック解除リング３３を引き、ロック状態を解除して、上刃枠２１から下刃枠３１ａ、３１ｂを再び分離させ、さらに、下刃カバー４５を下刃３４に被せて作業を完了する。
【００３９】
上述のように、この実施形態によれば、下刃枠３１ａ、３１ｂの着脱が極めて容易であり、切断対象ケーブルを特定する作業から切断する作業への移行がスムーズにできる。また、ケーブル巻き込み防止ワイヤーは、合成樹脂製カバーを被覆したものとしているので、作業中に切断対象ケーブルの表面を傷つけることがない。さらに、ケーブル巻き込み防止ワイヤーの一部を下刃枠を貫通させて設けているので、ケーブル切断時に、ケーブル巻き込みワイヤーを上刃とケーブルとの間に誤って挟み込んで、ケーブル巻き込みワイヤーまで切断するようなことがない。くわえて、ケーブル巻き込みワイヤーの端部に下刃カバーを係着しているので、作業中に下刃カバーが落下して、作業に無関係なケーブルに引っかかるなど、回収に手間取るようなことが起きない。さらに、肩掛けバンドが胴体についているので、切断対象ケーブルの特定作業を行う時などに、肩からぶら下げることにより、作業者が両手を使えるので、作業が容易になる。
【００４０】
なお、下枠材は、２つの部分に分かれていなくとも、例えば、略コの字状の形状のものとしても良い。また、ケーブル巻き込みワイヤーは、下刃カバーの係着部分を除き金属製やプラスチック製のリングとしても良い。
【００４１】
【発明の効果】
以上説明したように、本発明は、固定刃を取り付けた固定刃枠と、前記固定刃に対して刃先を対向させつつギロチン式に交差移動可能に可動刃を取り付けた可動枠とを有し、これら固定刃枠と可動刃枠とを連結分離可能に形成するとともに、前記固定刃枠に少なくとも一方の端部を着脱可能に連結され前記固定刃とともに閉空間を形成して切断対象ケーブルを巻回可能なワイヤーを有する構成としたので、ケーブルの切断作業時において、確実にかつ安全に切断対象ケーブルを特定し、さらに簡単にケーブル切断ができるので、ケーブル切断作業の安全性を確保すると同時に、作業効率の向上をはかることができる。
【図面の簡単な説明】
【図１】本発明の実施形態の正面図である。
【図２】上刃と一体の部分の正面図である。
【図３】下刃と一体の部分の正面図である。
【図４】ケーブルの周囲に閉空間を設定した図である。
【図５】切断対象でないケーブルが下刃枠間に食い込んだ状態を示す図である。
【図６】切断対象でないケーブルをはじき出した状態を示す図である。
【図７】下刃枠を上刃枠に装着する方法を示す図である。
【図８】下刃枠を上刃枠に装着した状態を示す図である。
【図９】ケーブルを切断する状態を示す図である。
【図１０】下刃カバーの背面図である。
【符号の説明】
１      ケーブル巻き込み防止機能付ケーブルカッター
１１    胴体
１２    ボールねじ
１３    係止バンド
１４    肩掛けバンド
１５    係止リング
２１    上刃枠
２２    上刃
２３    刃先（上刃）
２４    上刃カバー
２５    安全ピン挿入スリット
２６    上刃カバーバンド
２７    ロックピン挿入孔
３１ａ  下刃枠
３１ｂ  下刃枠
３２    ロックボタン
３３    ロック解除リング
３４    下刃
３５    刃先（下刃）
３６ａ  軸着ピン
３６ｂ  軸着ピン
３７ａ  回転防止板
３７ｂ  回転防止板
４１    安全ピン
４２    係止リング
４３    係止具
４４    ケーブル巻き込み防止ワイヤー
４５    下刃カバー
４６    つめ部
４７ａ  端部
４７ｂ  端部
４８    幅
４９    幅
５      切断対象ケーブル
５１    切断対象でないケーブル
【図１】
0004171997.tif 000002
【図２】
0004171997.tif 000003
【図３】
0004171997.tif 000004
【図４】
0004171997.tif 000005
【図５】
0004171997.tif 000006
【図６】
0004171997.tif 000007
【図７】
0004171997.tif 000008
【図８】
0004171997.tif 000009
【図９】
0004171997.tif 000010
【図１０】
0004171997.tif 000011